【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
通常動作期間中に１つまたは複数の受信アンテナの第１のセットを使用してサービングセルキャリア周波数上でサービング基地局と通信することと、
通常動作期間の間の測定ギャップ中に１つまたは複数の受信アンテナの第２のセットを用いて前記サービングセルキャリア周波数上で受信アンテナダイバーシティ測定を実行することと、
前記受信アンテナダイバーシティ測定に基づいて、使用または組合せのうちの少なくとも１つのために１つまたは複数の受信アンテナを選択することと
を備える、ワイヤレス通信のための方法。
【請求項２】
受信アンテナダイバーシティ測定を実行することは、自動利得制御、ＡＧＣ動作点を選定すること、セルを識別するためにネイバー探索を実行すること、または測定を実行することのうちの少なくとも１つを備える、
請求項１に記載の方法。
【請求項３】
前記測定ギャップ中に他の受信アンテナを使用して前記サービングセルキャリア周波数を測定するとき、探索は、スキップされるか、または周波数内探索中に見つけられたセルのサブセットの周りのウィンドウに制限されるかのうちの少なくとも１つである、
請求項１に記載の方法。
【請求項４】
測定ギャップを要求する前記サービング基地局にシグナリングすることまたは測定ギャップ中に受信アンテナダイバーシティ測定を実行するための能力を前記サービング基地局にシグナリングすることのうちの少なくとも１つをさらに備える、
請求項１に記載の方法。
【請求項５】
受信アンテナダイバーシティ測定を実行することは、
１つの測定ギャップ中に前記サービングキャリア周波数上で測定値を取得することと、異なる測定ギャップ中に他のキャリア周波数または他の無線アクセス技術のうちの少なくとも１つの測定値を取得することとを交互に行うことを備える、
請求項１に記載の方法。
【請求項６】
受信アンテナダイバーシティ測定を実行することは、
前記測定ギャップ中に前記サービングセルキャリア周波数の測定値を取得することを無効化することと、
他のキャリア周波数または他の無線アクセス技術を測定するため前記測定ギャップを使用することと
を備える、請求項１に記載の方法。
【請求項７】
通常動作期間中に１つまたは複数の受信アンテナの第１のセットを利用するユーザ機器、ＵＥとサービングセルキャリア周波数上で通信することと、
１つまたは複数の受信アンテナの第２のセットを用いて受信アンテナダイバーシティ測定を実行するために前記ＵＥを測定ギャップで構成することと、
前記ＵＥの２つ以上の受信アンテナからサウンディング基準信号、ＳＲＳを受信することと
を備える、ワイヤレス通信のための方法。
【請求項８】
通常動作期間中に１つまたは複数の受信アンテナの第１のセットを使用してサービングセルキャリア周波数上でサービング基地局と通信するための手段と、
通常動作期間の間の測定ギャップ中に１つまたは複数の受信アンテナの第２のセットを用いて前記サービングセルキャリア周波数上で受信アンテナダイバーシティ測定を実行するための手段と、
前記受信アンテナダイバーシティ測定に基づいて、使用または組合せのうちの少なくとも１つのために１つまたは複数の受信アンテナを選択するための手段と
を備える、ワイヤレス通信のための装置。
【請求項９】
受信アンテナダイバーシティ測定を実行することは、自動利得制御、ＡＧＣ動作点を選定すること、セルを識別するためにネイバー探索を実行すること、または測定を実行することのうちの少なくとも１つを備える、
請求項８に記載の装置。
【請求項１０】
前記測定ギャップ中に他の受信アンテナを使用して前記サービングセルキャリア周波数を測定するとき、探索は、スキップされるか、または周波数内探索中に見つけられたセルのサブセットの周りのウィンドウに制限されるかのうちの少なくとも１つである、
請求項８に記載の装置。
【請求項１１】
測定ギャップを要求するために前記サービング基地局にシグナリングするための手段または測定ギャップ中に受信アンテナダイバーシティ測定を実行するための能力を前記サービング基地局にシグナリングするための手段のうちの少なくとも１つをさらに備える、
請求項８に記載の装置。
【請求項１２】
受信アンテナダイバーシティ測定を実行することは、
１つの測定ギャップ中に前記サービングセルキャリア周波数上で測定値を取得することと、異なる測定ギャップ中に他のキャリア周波数または他の無線アクセス技術のうちの少なくとも１つの測定値を取得することとを交互に行うことを備える、
請求項８に記載の装置。
【請求項１３】
受信アンテナダイバーシティ測定を実行することは、
前記測定ギャップ中に前記サービングセルキャリア周波数の測定値を取得することを無効化することと、
他のキャリア周波数または他の無線アクセス技術を測定するため前記測定ギャップを使用することと
を備える、請求項８に記載の装置。
【請求項１４】
通常動作期間中に１つまたは複数の受信アンテナの第１のセットを利用するユーザ機器、ＵＥとサービングセルキャリア周波数上で通信するための手段と、
１つまたは複数の受信アンテナの第２のセットを用いて受信アンテナダイバーシティ測定を実行するために前記ＵＥを測定ギャップで構成するための手段と、
前記ＵＥの２つ以上の受信アンテナからサウンディング基準信号、ＳＲＳを受信するための手段と
を備える、ワイヤレス通信のための装置。
【請求項１５】
請求項１乃至６または請求項７のうちのいずれか一項に記載の方法を実行するための命令を備える、コンピュータプログラム。
【手続補正２】
【補正対象書類名】明細書
【補正対象項目名】００８０
【補正方法】変更
【補正の内容】
【００８０】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］  通常動作期間中に１つまたは複数の受信アンテナの第１のセットを使用してサービング基地局と通信することと、
通常動作期間の間の測定ギャップ中に１つまたは複数の受信アンテナの第２のセットを用いて受信アンテナダイバーシティ測定を実行することと、
前記受信アンテナダイバーシティ測定に基づいて、使用または組合せのうちの少なくとも１つのために１つまたは複数の受信アンテナを選択することとを備える、ワイヤレス通信のための方法。
［Ｃ２］  アンテナの前記第２のセットは、時間とともに変化する、
Ｃ１に記載の方法。
［Ｃ３］  受信アンテナダイバーシティ測定を実行することは、自動利得制御（ＡＧＣ）動作点を選定することと、セルを識別するためにネイバー探索を実行することと、測定を実行することとのうちの少なくとも１つを備える、Ｃ１に記載の方法。
［Ｃ４］  前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、Ｃ１に記載の方法。
［Ｃ５］  前記測定ギャップ中にサブフレームの少なくともサブセット上で前記サービング基地局から制御またはデータのうちの少なくとも１つを受信することをさらに備える、Ｃ１に記載の方法。
［Ｃ６］  前記測定ギャップを定めるために前記サービング基地局にシグナリングすることをさらに備える、Ｃ１に記載の方法。
［Ｃ７］  前記シグナリングすることは、測定ギャップを要求することを備える、Ｃ６に記載の方法。
［Ｃ８］  前記シグナリングすることは、測定ギャップ中に受信アンテナダイバーシティ測定を実行するための能力をシグナリングすることを備える、Ｃ６に記載の方法。
［Ｃ９］  受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、Ｃ１に記載の方法。
［Ｃ１０］  受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、Ｃ１に記載の方法。
［Ｃ１１］  受信アンテナダイバーシティ測定を実行することは、
測定ギャップ中に他のキャリアまたは他の無線アクセス技術のうちの少なくとも１つの測定値を取得することを無効化することを備える、Ｃ１に記載の方法。
［Ｃ１２］  受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、Ｃ１に記載の方法。
［Ｃ１３］  ３つ以上の受信アンテナからサウンディング基準信号（ＳＲＳ）を送信することをさらに備える、Ｃ１に記載の方法。
［Ｃ１４］  通常動作期間中に１つまたは複数の受信アンテナの第１のセットを利用するユーザ機器（ＵＥ）と通信することと、
１つまたは複数の受信アンテナの第２のセットを用いて受信アンテナダイバーシティ測定を実行するために前記ＵＥを測定ギャップで構成することとを備える、ワイヤレス通信のための方法。
［Ｃ１５］  前記測定ギャップを定めるためにシグナリングを前記ＵＥから受信することをさらに備える、Ｃ１４に記載の方法。
［Ｃ１６］  前記シグナリングすることは、測定ギャップを要求することを備える、Ｃ１５に記載の方法。
［Ｃ１７］  前記シグナリングすることは、測定ギャップ中に受信アンテナダイバーシティ測定を実行するための能力をシグナリングすることを備える、Ｃ１５に記載の方法。
［Ｃ１８］  前記構成された測定ギャップに基づいて、ＣＱＩ報告受信、レート制御ループにおけるそれらの使用、またはＵＬ電力制御のうちの少なくとも１つのスケジューリングを調整することをさらに備える、Ｃ１４に記載の方法。
［Ｃ１９］  通常動作期間中に１つまたは複数の受信アンテナの第１のセットを使用してサービング基地局と通信するための手段と、
通常動作期間の間の測定ギャップ中に１つまたは複数の受信アンテナの第２のセットを用いて受信アンテナダイバーシティ測定を実行するための手段と、
前記受信アンテナダイバーシティ測定に基づいて、使用または組合せのうちの少なくとも１つのために１つまたは複数の受信アンテナを選択するための手段とを備える、ワイヤレス通信のための装置。
［Ｃ２０］  アンテナの前記第２のセットは、時間とともに変化する、
Ｃ１９に記載の装置。
［Ｃ２１］  受信アンテナダイバーシティ測定を実行することは、自動利得制御（ＡＧＣ）動作点を選定することと、セルを識別するためにネイバー探索を実行することと、測定を実行することとのうちの少なくとも１つを備える、Ｃ１９に記載の装置。
［Ｃ２２］  前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、Ｃ１９に記載の装置。
［Ｃ２３］  前記測定ギャップ中にサブフレームの少なくともサブセット上で前記サービング基地局から制御またはデータのうちの少なくとも１つを受信するための手段をさらに備える、Ｃ１９に記載の装置。
［Ｃ２４］  前記測定ギャップを定めるために前記サービング基地局にシグナリングするための手段をさらに備える、Ｃ１９に記載の装置。
［Ｃ２５］  前記シグナリングすることは、測定ギャップを要求することを備える、Ｃ２４に記載の装置。
［Ｃ２６］  前記シグナリングすることは、測定ギャップ中に受信アンテナダイバーシティ測定を実行するための能力をシグナリングすることを備える、Ｃ２４に記載の装置。
［Ｃ２７］  受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、Ｃ１９に記載の装置。
［Ｃ２８］  受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、Ｃ１９に記載の装置。
［Ｃ２９］  受信アンテナダイバーシティ測定を実行することは、
測定ギャップ中に他のキャリアまたは他の無線アクセス技術のうちの少なくとも１つの測定値を取得することを無効化することを備える、Ｃ１９に記載の装置。
［Ｃ３０］  受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、Ｃ１９に記載の装置。
［Ｃ３１］  ３つ以上の受信アンテナからサウンディング基準信号（ＳＲＳ）を送信するための手段をさらに備える、Ｃ１９に記載の装置。
［Ｃ３２］  通常動作期間中に１つまたは複数の受信アンテナの第１のセットを利用するユーザ機器（ＵＥ）と通信するための手段と、
１つまたは複数の受信アンテナの第２のセットを用いて受信アンテナダイバーシティ測定を実行するために前記ＵＥを測定ギャップで構成するための手段とを備える、ワイヤレス通信のための装置。
［Ｃ３３］  前記測定ギャップを定めるためにシグナリングを前記ＵＥから受信するための手段をさらに備える、Ｃ３２に記載の装置。
［Ｃ３４］  前記シグナリングすることは、測定ギャップを要求することを備える、Ｃ３３に記載の装置。
［Ｃ３５］  前記シグナリングすることは、測定ギャップ中に受信アンテナダイバーシティ測定を実行するための能力をシグナリングすることを備える、Ｃ３３に記載の装置。
［Ｃ３６］  前記構成された測定ギャップに基づいて、ＣＱＩ報告受信、レート制御ループにおけるそれらの使用、またはＵＬ電力制御のうちの少なくとも１つのスケジューリングを調整するための手段をさらに備える、Ｃ３２に記載の装置。
［Ｃ３７］  １つまたは複数のプロセッサによって実行可能である命令が記憶されたコンピュータ可読媒体を備える、第１のデバイスによるワイヤレス通信のためのコンピュータプログラム製品であって、前記命令は、
通常動作期間中に１つまたは複数の受信アンテナの第１のセットを使用してサービング基地局と通信するための命令と、
通常動作期間の間の測定ギャップ中に１つまたは複数の受信アンテナの第２のセットを用いて受信アンテナダイバーシティ測定を実行するための命令と、
前記受信アンテナダイバーシティ測定に基づいて、使用または組合せのうちの少なくとも１つのために１つまたは複数の受信アンテナを選択するための命令とを備える、コンピュータプログラム製品。
［Ｃ３８］  アンテナの前記第２のセットは、時間とともに変化する、
Ｃ３７に記載のコンピュータプログラム製品。
［Ｃ３９］  受信アンテナダイバーシティ測定を実行するための前記命令は、自動利得制御（ＡＧＣ）動作点を選定することと、セルを識別するためにネイバー探索を実行することと、測定を実行することとのうちの少なくとも１つを備える、Ｃ３７に記載のコンピュータプログラム製品。
［Ｃ４０］  前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、Ｃ３７に記載のコンピュータプログラム製品。
［Ｃ４１］  前記測定ギャップ中にサブフレームの少なくともサブセット上で前記サービング基地局から制御またはデータのうちの少なくとも１つを受信するための命令をさらに備える、Ｃ３７に記載のコンピュータプログラム製品。
［Ｃ４２］  前記測定ギャップを定めるために前記サービング基地局にシグナリングするための命令をさらに備える、Ｃ３７に記載のコンピュータプログラム製品。
［Ｃ４３］  シグナリングするための前記命令は、測定ギャップを要求することを備える、Ｃ４２に記載のコンピュータプログラム製品。
［Ｃ４４］  シグナリングするための前記命令は、測定ギャップ中に受信アンテナダイバーシティ測定を実行するための能力をシグナリングすることを備える、Ｃ４２に記載のコンピュータプログラム製品。
［Ｃ４５］  受信アンテナダイバーシティ測定を実行するための前記命令は、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、Ｃ３７に記載のコンピュータプログラム製品。
［Ｃ４６］  受信アンテナダイバーシティ測定を実行する前記命令は、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、Ｃ３７に記載のコンピュータプログラム製品。
［Ｃ４７］  受信アンテナダイバーシティ測定を実行するための前記命令は、
測定ギャップ中に他のキャリアまたは他の無線アクセス技術のうちの少なくとも１つの測定値を取得することを無効化することを備える、Ｃ３７に記載のコンピュータプログラム製品。
［Ｃ４８］  受信アンテナダイバーシティ測定を実行するための前記命令は、
他のキャリアまたは他の無線アクセス技術のうちの少なくとも１つの測定値を取得しながら、異なる測定ギャップ中にアンテナの異なるセットからのサンプルを使用することを備える、Ｃ３７に記載のコンピュータプログラム製品。
［Ｃ４９］  ３つ以上の受信アンテナからサウンディング基準信号（ＳＲＳ）を送信するための命令をさらに備える、Ｃ３７に記載のコンピュータプログラム製品。
［Ｃ５０］  １つまたは複数のプロセッサによって実行可能である命令が記憶されたコンピュータ可読媒体を備える、第１のデバイスによるワイヤレス通信のためのコンピュータプログラム製品であって、前記命令は、
通常動作期間中に１つまたは複数の受信アンテナの第１のセットを利用するユーザ機器（ＵＥ）と通信するための命令と、
１つまたは複数の受信アンテナの第２のセットを用いて受信アンテナダイバーシティ測定を実行するために前記ＵＥを測定ギャップで構成するための命令とを備える、コンピュータプログラム製品。
［Ｃ５１］  前記測定ギャップを定めるためにシグナリングを前記ＵＥから受信するための命令をさらに備える、Ｃ５０に記載のコンピュータプログラム製品。
［Ｃ５２］  シグナリングするための前記命令は、測定ギャップを要求することを備える、Ｃ５０に記載のコンピュータプログラム製品。
［Ｃ５３］  シグナリングするための前記命令は、測定ギャップ中に受信アンテナダイバーシティ測定を実行するための能力をシグナリングすることを備える、Ｃ５１に記載のコンピュータプログラム製品。
［Ｃ５４］  前記構成された測定ギャップに基づいて、ＣＱＩ報告受信、レート制御ループにおけるそれらの使用、またはＵＬ電力制御のうちの少なくとも１つのスケジューリングを調整するための命令をさらに備える、Ｃ５０に記載のコンピュータプログラム製品。
［Ｃ５５］  通常動作期間中に１つまたは複数の受信アンテナの第１のセットを使用してサービング基地局と通信することと、
通常動作期間の間の測定ギャップ中に１つまたは複数の受信アンテナの第２のセットを用いて受信アンテナダイバーシティ測定を実行することと、
前記受信アンテナダイバーシティ測定に基づいて、使用または組合せのうちの少なくとも１つのために１つまたは複数の受信アンテナを選択することとを行うように構成される少なくとも１つのプロセッサを備える、ワイヤレス通信のための装置。
［Ｃ５６］  アンテナの前記第２のセットは、時間とともに変化する、
Ｃ５５に記載の装置。
［Ｃ５７］  受信アンテナダイバーシティ測定を実行することは、自動利得制御（ＡＧＣ）動作点を選定することと、セルを識別するためにネイバー探索を実行することと、測定を実行することとのうちの少なくとも１つを備える、Ｃ５５に記載の装置。
［Ｃ５８］  前記測定ギャップ中に他の受信アンテナを使用してサービングセルキャリア周波数を測定するとき、探索は、スキップされるか、または周波数内探索中に見つけられたセルのサブセットの周りのウィンドウに制限されるかのうちの少なくとも１つである、Ｃ５５に記載の装置。
［Ｃ５９］  前記プロセッサは、前記測定ギャップ中にサブフレームの少なくともサブセット上で前記サービング基地局から制御またはデータのうちの少なくとも１つを受信するようにさらに構成される、Ｃ５５に記載の装置。
［Ｃ６０］  前記プロセッサは、前記測定ギャップを定めるために前記サービング基地局にシグナリングするようにさらに構成される、Ｃ５５に記載の装置。
［Ｃ６１］  前記シグナリングすることは、測定ギャップを要求することを備える、Ｃ５５に記載の装置。
［Ｃ６２］  前記シグナリングすることは、測定ギャップ中に受信アンテナダイバーシティ測定を実行するための能力をシグナリングすることを備える、Ｃ６１に記載の装置。
［Ｃ６３］  受信アンテナダイバーシティ測定を実行することは、
１つの測定ギャップ中にアンテナの前記第２のセットから測定値を取得することと、異なる測定ギャップ中に他のキャリアまたは他の無線アクセス技術のうちの少なくとも１つの測定値を取得することとを交互に行うことを備える、Ｃ５５に記載の装置。
［Ｃ６４］  受信アンテナダイバーシティ測定を実行することは、
他のキャリアまたは他の無線アクセス技術のうちの少なくとも１つを測定するために測定ギャップの第２のサブセットを使用しながら、受信アンテナの前記第２のセットを使用してサービングセルキャリアを測定するために前記測定ギャップの第１のサブセットを使用することを備える、Ｃ５５に記載の装置。
［Ｃ６５］  受信アンテナダイバーシティ測定を実行することは、
測定ギャップ中に他のキャリアまたは他の無線アクセス技術のうちの少なくとも１つの測定値を取得することを無効化することを備える、Ｃ５５に記載の装置。
［Ｃ６６］  受信アンテナダイバーシティ測定を実行することは、
他のキャリアまたは他の無線アクセス技術のうちの少なくとも１つの測定値を取得しながら、異なる測定ギャップ中にアンテナの異なるセットからのサンプルを使用することを備える、Ｃ５５に記載の装置。
［Ｃ６７］  前記プロセッサは、３つ以上の受信アンテナからサウンディング基準信号（ＳＲＳ）を送信するようにさらに構成される、Ｃ５５に記載の装置。
［Ｃ６８］  通常動作期間中に１つまたは複数の受信アンテナの第１のセットを利用するユーザ機器（ＵＥ）と通信することと、
１つまたは複数の受信アンテナの第２のセットを用いて受信アンテナダイバーシティ測定を実行するために前記ＵＥを測定ギャップで構成することと
を行うように構成される少なくとも１つのプロセッサを備える、
ワイヤレス通信のための装置。
［Ｃ６９］  前記プロセッサは、前記測定ギャップを定めるためにシグナリングを前記ＵＥから受信するようにさらに構成される、Ｃ６８に記載の装置。
［Ｃ７０］  前記シグナリングすることは、測定ギャップを要求することを備える、Ｃ６８に記載の装置。
［Ｃ７１］  前記シグナリングすることは、測定ギャップ中に受信アンテナダイバーシティ測定を実行するための能力をシグナリングすることを備える、Ｃ６９に記載の装置。
［Ｃ７２］  前記プロセッサは、前記構成された測定ギャップに基づいて、ＣＱＩ報告受信、レート制御ループにおけるそれらの使用、またはＵＬ電力制御のうちの少なくとも１つのスケジューリングを調整するようにさらに構成される、Ｃ６８に記載の装置。
［Ｃ７３］  サービングセルのサービング基地局と通信することと、
異なる時間に受信アンテナの異なるセットを使用してキャリア周波数上で前記サービングセルおよび近隣セルの測定を実行することとを備える、ワイヤレス通信のための方法。